(57)【要約】    【課題】  装飾パネルと受け皿とを共通の光源により照明しながらも、装飾パネル及び受け皿の照度を十分に確保でき、特に受け皿側での照度の低下を確実に防止できるようにする。    【解決手段】  前面パネル３の操作パネル２０，２１の下側に配置された光透過性を有する装飾パネル２２と、この装飾パネル２２の下側に配置された遊技媒体用の受け皿１５とを備えた遊技機において、前面パネル３の内部で装飾パネル２２と受け皿１５との間に光源４３を配置し、装飾パネル２２の裏面に配置され且つ光源４３からの光を導光して装飾パネル２２に裏面から照射する導光手段４４と、光源４３からの光により受け皿１５を照明する照明手段４５とを備える。導光手段４４は装飾パネル２２の裏面に配置された導光板５８である。【選択図】図４
2010172374.tif 000002
【特許請求の範囲】
【請求項１】
前面パネル（３）に設けられた装飾部（２２）と、該装飾部（２２）の下側に配置された遊技媒体用の受け皿（１５）とを備えた遊技機において、前記前面パネル（３）の内部で前記装飾部（２２）と前記受け皿（１５）との間に光源（４３）を配置し、前記装飾部（２２）の裏面に配置され且つ前記光源（４３）からの光を導光して前記装飾部（２２）に裏面から照射する導光手段（４４）と、前記光源（４３）からの光により前記受け皿（１５）を照明する照明手段（４５）とを備えたことを特徴とする遊技機。
【請求項２】
前記装飾部は遊技用の操作パネル（２０，２１）の下側に配置された光透過性を有する装飾パネル（２２）であり、前記導光手段（４４）は前記装飾パネル（２２）の裏面に配置された導光板（５８）であることを特徴とする請求項１に記載の遊技機。
【請求項３】
前記光源（４３）を横方向に配置し、該光源（４３）の上下両側に前記導光板（５８）と前記照明手段（４５）とを近接して配置したことを特徴とする請求項２に記載の遊技機。
【請求項４】
前記導光板（５８）と前記装飾パネル（２２）とを前後に重合状に設けたことを特徴とする請求項２又は３に記載の遊技機。
【請求項５】
前記光源（４３）からの光を前記導光板（５８）側に反射する反射板（６６）を備え、該反射板（６６）に前記受け皿（１５）内を所定照度に保つべく前記光源（４３）から前記照明手段（４５）側への光を調整する照明孔（６９）を設けたことを特徴とする請求項２〜４の何れかに記載の遊技機。
【発明の詳細な説明】
【技術分野】
【０００１】
本発明は、スロットマシン、パチンコ機等の遊技機に関し、共通の光源により装飾パネルと遊技媒体用の受け皿とを照明できるようにしたものである。
【背景技術】
【０００２】
スロットマシンは、例えば遊技機本体の前面側に配置された前面パネルの上下方向の中間に、各種の操作ボタン、メダル投入口手段が設けられた操作パネルを、この操作パネルの上側に、複数個の図柄表示リールを有する表示リールユニットを、操作パネルの下側に電飾式の装飾パネルを夫々設け、装飾パネルの下側の最下部に遊技媒体用の受け皿を設けている（特許文献１）。
【０００３】
この種のスロットマシンにおいて、装飾パネルと受け皿とを共通の光源を用いて照明するようにしたものがある（特許文献２）。従来のスロットマシンは、絵柄シートを含む装飾パネルの裏面に導光板を配置し、この導光板の上面に冷陰極管等の光源を長手方向に配置すると共に、導光板の下面の導光領域を受け皿に対応して設けている。そして、光源からの光を導光板内に導いた後、導光板の裏面で反射させて装飾パネルを裏面側から照明するする一方、導光領域から漏れる光により受け皿内を照明するようにしている。
【先行技術文献】
【特許文献】
【０００４】
【特許文献１】特開２００４−１６３２０号公報
【特許文献２】特開２００４−３２１６１３号公報
【発明の概要】
【発明が解決しようとする課題】
【０００５】
このような照明方式を採用すれば、装飾パネルと受け皿とを共通の光源で照明できるので、個別に光源を設ける場合に比較して構造的に簡単になり、容易且つ安価に実施できる利点がある。
【０００６】
しかし、従来は光源からの光を一旦導光板に入れた後、この導光板において装飾パネルの照明用と受け皿の照明用とに分けているため、装飾パネル、受け皿を十分な照度で正面することができず、照度が低下する欠点がある。特に受け皿側の場合には、受け皿内の遊技媒体を掻き出し得るように所定の隙間がある上に、その隙間の上側と光源との間に導光板があるため、光源から受け皿までの距離が非常に大になり、受け皿側では光源からの光を導光板により受け皿の上方側へと導光するとは云え照度が極端に低下する欠点がある。
【０００７】
本発明は、このような従来の問題点に鑑み、装飾部と受け皿とを共通の光源により照明しながらも、装飾部及び受け皿の照度を十分に確保でき、特に受け皿側での照度の低下を確実に防止できる遊技機を提供することを目的とする。
【課題を解決するための手段】
【０００８】
本発明は、前面パネル３に設けられた装飾部２２と、該装飾部２２の下側に配置された遊技媒体用の受け皿１５とを備えた遊技機において、前記前面パネル３の内部で前記装飾部２２と前記受け皿１５との間に光源４３を配置し、前記装飾部２２の裏面に配置され且つ前記光源４３からの光を導光して前記装飾部２２に裏面から照射する導光手段４４と、前記光源４３からの光により前記受け皿１５を照明する照明手段４５とを備えたものである。
【発明の効果】
【０００９】
本発明によれば、装飾部２２と受け皿１５とを共通の光源４３により照明しながらも、装飾部２２及び受け皿１５の照度を十分に確保でき、特に受け皿側１５での照度の低下を確実に防止できる利点がある。
【図面の簡単な説明】
【００１０】
【図１】本発明の第１の実施形態を示すスロットマシンの斜視図である。
【図２】同筐体側の正面図である。
【図３】同スロットマシンの前側下部の断面図である。
【図４】同要部の拡大断面図である。
【図５】同スロットマシンの前側の分解斜視図である。
【図６】本発明の第２の実施形態を示すスロットマシンの斜視図である。
【図７】同導光手段、光源の分解斜視図である。
【図８】本発明の第３の実施形態を示すスロットマシンの断面図である。
【図９】同光源の正面図である。
【図１０】同反射手段の斜視図である。
【図１１】本発明の第４の実施形態を示すスロットマシンの断面図である。
【図１２】同光源の正面図である。
【発明を実施するための形態】
【００１１】
以下、本発明の実施例を図面に基づいて詳述する。図１〜図５は本発明をスロットマシンに採用した第１の実施例を例示している。図１及び図２において、１は遊技機本体であり、筐体２と、この筐体２の前側に配置された矩形状の前面パネル３とを備えている。筐体２は前側が開放する箱形に形成されており、その前側を開閉自在に閉鎖するように前面パネル３が装着されている。
【００１２】
筐体２内には、上部に左右方向に複数個の図柄表示リール５ａ〜５ｃを有する表示リールユニット６が配置され、下部にメダル払い出し手段７、メダル補助ケース８、電源基板ケース９が配置され、上下方向の中間に主制御基板ケース１０が配置されている。表示リールユニット６は筐体２の中間棚１１上に着脱自在に装着されており、この表示リールユニット６の図柄表示リール５ａ〜５ｃが回転することにより、複数個の遊技図柄を変動表示可能である。
【００１３】
メダル払い出し手段７は、図３に示すように、メダルホッパー１２内のメダルを前面パネル３の排出シュート１３を経てメダル排出口１４からメダル受け皿１５へと払い出すようになっている。メダル補助ケース８はメダルホッパー１２から溢れたメダルを貯留するためのものである。
【００１４】
前面パネル３は骨格体を構成するパネル枠１６を備え、そのパネル枠１６が左右一端側のヒンジ手段（図示省略）を介して筐体２に開閉自在に装着されている。前面パネル３の上部側には、第１表示窓１７と第２表示窓１８とが上下に配置され、これらの左右両側に縦長状の演出ランプ１９が配置されている。また前面パネル３の上下方向の中間部には、上操作パネル２０、前操作パネル２１、装飾パネル２２を有する前カバー２３が配置され、その前カバー２３の下部にメダル排出口１４、メダル受け皿１５、灰皿２４、スピーカ２５等が配置されている。
【００１５】
第１表示窓１７は筐体２側の図柄表示リール５ａ〜５ｃに対応して矩形状に形成されており、遊技者はこの第１表示窓１７を介して図柄表示リール５ａ〜５ｃを前側から視認可能となっている。第２表示窓１８は前面パネル３の裏側に装着された液晶表示ユニット２６に対応して矩形状に形成され、遊技者はこの第２表示窓１８を介して液晶表示ユニット２６に表示される遊技図柄等を前側から視認可能となっている。
【００１６】
上操作パネル２０は前下りに傾斜し且つ左右方向に長い横長状であり、この上操作パネル２０には、その左右方向の一端側に１ベットボタン２９、マックスベットボタン３０及びキャンセルボタン３１が設けられ、他端側に遊技媒体としてのメダルを投入可能なメダル投入口３３が設けられている。１ベットボタン２９、マックスベットボタン３０は、メダル投入口３３へのメダル投入に代えてクレジットからメダルをベットするためのものである。
【００１７】
前操作パネル２１には、図柄表示リール５ａ〜５ｃの回転を開始させるためのスタートレバー３４、回転中の図柄表示リール５ａ〜５ｃを夫々個別に停止させるためのストップボタン３５ａ〜３５ｃ、メダル投入口３３内に詰まったメダルを返却させるための返却ボタン３６等が設けられている。
【００１８】
前カバー２３は図５に示すように、前面パネル３の表示窓１７，１８側よりも前側に張り出しており、中央が前側へと緩やかな円弧状に張り出す略垂直な張り出し部３７と、この張り出し部３７の左右両側から後側に湾曲する外湾曲部３９と、張り出し部３７の上端から第２表示窓１８の下側へと後上がりに傾斜する上傾斜部４０と、張り出し部３７の下端から下側へと後下がりに傾斜する下傾斜部４１とを備え、パネル枠１６の前側にネジ等により着脱自在に固定されている。
【００１９】
上傾斜部４０上には左右の演出ランプ１９間に上操作パネル２０が設けられている。張り出し部３７には上部側の前面に前操作パネル２１が、この前操作パネル２１の下側に装飾パネル２２が夫々設けられている。前カバー２３の内部には、下傾斜部４１よりも上側で装飾パネル２２とメダル受け皿１５との間に光源４３が配置され、また装飾パネル２２の裏面に導光手段４４が、下傾斜部４１にメダル受け皿１５内を照明する照明手段４５が夫々光源４３に上下に近接して設けられている。
【００２０】
装飾パネル２２は装飾部の一例を示すもので、図３〜図５に示すように、前後方向に着脱自在に結合された保護カバー４７及び押えカバー４８と、この保護カバー４７及び押えカバー４８間に介在された絵柄シート４９とを備え、前カバー２３の開口部５０に対応してその外周の取り付け枠５１に着脱自在に嵌合されている。保護カバー４７、押えカバー４８は光透過性を有する無色透明又は着色透明なアクリル樹脂等の合成樹脂板により形成されている。
【００２１】
保護カバー４７にはその内側に絵柄シート４９と押えカバー４８が嵌合されている。保護カバー４７は上下の一方に係合爪５２を、他方に突起等の係合部５３を夫々備え、その係合爪５２が前カバー２３の開口部５０の一方側の被係合部５４に、係合部５３が開口部５０の他方側の被係合部５５に夫々係脱自在に係合されている。絵柄シート４９には装飾用の絵柄が印刷等で付されており、この絵柄シート４９は保護カバー４７と押えカバー４８との間で挟持されている。
【００２２】
導光手段４４は光源４３からの光を導光して装飾パネル２２を裏側から照明するためのもので、開口部５０に対応して図外のネジ等の固定手段により取り付け枠５１に裏側から着脱自在に固定されている。
【００２３】
この導光手段４４は図３、図４に示すように、裏側に傾斜面５７を有する導光板５８と、導光板５８の前面に装着された光拡散シート５９と、導光板５８の傾斜面５７に装着された反射シート６０とを有し、支持ケース６１内に組み込まれている。
【００２４】
導光板５８は透明なアクリル板等の透明板により構成され、前後両面間の間隔が上側程小さくなるように、前面に対して裏面が傾斜する傾斜面５７を有する。光拡散シート５９は導光板５８から装飾パネル２２に照射する光を拡散させるためのものであり、導光板５８の前面に配置されている。
【００２５】
反射シート６０は光源４３から下側の入射面６４を経て入射した光を乱反射等により装飾パネル２２側へと前向きに反射させるためのもので、導光板５８の裏面側の傾斜面５７に貼着されている。なお、導光板５８には、その下面の入射面６４を除く上面及び左右両側面にも反射シート６０を設けることが望ましい。反射シート６０は光の反射面を構成するものであり、その反射面は反射シート６０の貼着等に代えて塗料等の塗工により形成してもよい。
【００２６】
光源４３は図３、図４に示すように、導光板５８の入射面６４に沿って左右方向に横長状に配置された冷陰極管６３を備えている。この冷陰極管６３は導光板５８の入射面６４側が開放するＵ字状等の反射板６６内に配置され、導光手段４４の裏側の支持部材６７等に固定された左右一対のソケット６８に着脱自在に取り付けられている。ソケット６８は導光板５８側が開放し、冷陰極管６３は上側から着脱自在である。
【００２７】
反射板６６は光源４３からの光を反射して導光板５８の入射面６４側に集光するためのもので、下側に円弧状の湾曲部６６ａが設けられ、その湾曲部６６ａにメダル受け皿１５に沿って左右方向に照明孔６９が形成されている。照明孔６９はメダル受け皿１５内が所定照度となるように光源４３から照明手段４５側への光量を調整するためのもので、湾曲部６６ａに左右方向に所定間隔をおいて複数個形成されるか、又は左右方向の長孔状に形成されている。
【００２８】
照明手段４５は図３、図４に示すように、光源４３の下側近傍で前カバー２３の下傾斜部４１に照明孔６９に対応して設けられ、下傾斜部４１に形成された開口を塞ぐように無色透明又は着色透明等の透明板７０が装着された照明窓により構成されている。なお、この照明手段４５は照明孔６９よりも前後幅が大になっている。また透明板７０は前カバー２３の下傾斜部４１に略水平状に設けられているが、下傾斜部４１に沿って傾斜状に設けてもよい。
【００２９】
このような構成のスロットマシンでは、光源４３の冷陰極管６３が点灯して発光すると、その光の多くは反射板６６で反射して入射面６４側から導光板５８へと入射する。そして、導光板５８に入射した光は反射シート６０で反射した後、装飾パネル２２に裏面側から照射して装飾パネル２２を照明する。一方、光源４３からの一部の光は反射板６６の照明孔６９、照明手段４５を経てメダル受け皿１５内を所定の照度で照明する。
【００３０】
このように装飾パネル２２の裏側に導光板５８を含む導光手段４４を配置し、この導光手段４４と下傾斜部４１のメダル受け皿１５用の照明手段４５との間に光源４３を配置することにより、装飾パネル２２とメダル受け皿１５とを共通の光源４３により照明しながらも、装飾パネル２２及びメダル受け皿１５の照度を十分に確保でき、特にメダル受け皿１５側での照度の低下を確実に防止できる利点がある。
【００３１】
また導光手段４４の導光板５８と照明手段４５が上下に近接しているので、装飾パネル２２、メダル受け皿１５の照度も十分に確保できる。しかも、光源４３の外周に、光源４３からの光を導光板５８側へと反射する反射板６６を配置すると共に、この反射板６６に照明孔６９を設けて、この照明孔６９を経て受け皿１５内を所定照度に保つべく光源４３から照明手段４５側への光を調整するようにしているので、光源４３からの光の無駄な拡散を防止でき、光源４３からの光により装飾パネル２２とメダル受け皿１５とを効率的に照明することができる。また照明孔６９で光源４３からの光を規制しているので、メダル受け皿１５内を明るく照明できる。
【００３２】
導光手段４４、光源４３の保守、点検等は前カバー２３を取り外して行えばよい。
【００３３】
図６、図７は本発明の第２の実施例を例示し、光源４３を構成する冷陰極管６３の上側に集光レンズ７１が設けられ、この集光レンズ７１により光源４３からの光が導光板５８の入射面６４に対して略平行に入射するようにしている。集光レンズ７１は導光板５８の下側の支持壁７２等に装着されている。
【００３４】
冷陰極管６３の前後両側には一対の反射板６６が配置され、その上下両端間の隙間部分から集光レンズ７１、照明手段４５に夫々光を照射するようになっている。なお、反射板６６間の間隔は下側が狭くなっている。
【００３５】
このように集光レンズ７１を使用して光源４３からの光が略平行に導光板５８に入射するようにすれば、光源４３からの光により導光板５８を介して装飾パネル２２を略均一に照明でき、装飾パネル２２の照明ムラを防止することができる。
【００３６】
図８〜図１０は本発明の第３の実施例を例示し、この実施例では、図８、図９に示すように、発光ダイオード等の発光素子７４により光源４３が構成されている。即ち、光源４３は例えば前面発光式の発光素子７４を発光基板７５に多数装着して横長状に構成されている。発光基板７５は左右方向に長い帯状であり、この発光基板７５の前面に多数の発光素子７４が略均等に分布して装着されている。
【００３７】
導光手段４４の導光板５８と照明手段４５は上下に対応して配置され、この導光板５８と照明手段４５との間に、発光素子７４からの光を導光板５８と照明手段４５とに分散して反射する反射手段７６が設けられている。反射手段７６は光源４３に対応して左右方向に長い反射体７７を備え、この反射体７７には発光素子７４と対向して導光板５８用の反射面７８と、照明手段４５用の反射面７９とが左右方向に交互に設けられている。
【００３８】
各反射面７８，７９は光源４３からの光を導光板５８側、照明手段４５側に夫々反射するためのものであって、図１０に示すように光源４３からの光に対して略４５°の傾斜角度で上下逆向きに形成されている。なお、反射面７８，７９の左右幅は、図９に示すように、光源４３からの光を装飾パネル２２側及びメダル受け皿１５側の照度に必要な光量に分配できる比率になっている。
【００３９】
この実施例に例示するように光源４３は、冷陰極管６３の他、発光ダイオード等の発光素子７４により構成することも可能である。また発光ダイオード等の発光素子７４を使用した光源４３の場合には、冷陰極管６３式のようにその周方向の全周に光を放射することはできないが、導光板５８と照明手段４５との間に反射手段７６を設け、この反射手段７６の反射面７８，７９で導光板５８側、照明手段４５側へと光を反射させることにより、光源４３からの光を導光板５８側、照明手段４５側へと振り分けることができる。
【００４０】
図１１、図１２は本発明の第４の実施例を例示し、この実施例でも、多数の発光素子７４により構成された光源４３に対向して反射手段７６が配置され、この反射手段７６に設けられた上下の反射面７８，７９により、光源４３からの光を導光板５８側と照明手段４５側とに反射させるようにしている。各反射面７８，７９は両者の交差する稜線８０側が光源４３の上下幅の中間に位置するように上下に設けられ、左右方向に長い帯状に形成されている。なお、発光基板７５には多数の発光素子７４を取り囲むように拡散防止部８１が設けられている。
【００４１】
このような反射手段７６を利用しても光源４３からの光を所定の比率で導光板５８側と照明手段４５側とに反射させることが可能である。
【００４２】
以上、本発明の実施例について詳述したが、本発明はこの実施例に限定されるものではなく、本発明の趣旨を逸脱しない範囲で種々の変更が可能である。例えば、実施例では、装飾部として前面パネル３の装飾パネル２２を例示しているが、装飾パネル２２以外の電飾式のものでもよい。また装飾パネル２２を照明する場合でも、その装飾パネル２２は保護カバー４７と押えカバー４８との間に絵柄シート４９を介在する以外の構成を採用したものでもよい。
【００４３】
メダル受け皿１５は実施例以外の形状、構造でもよい。またメダル受け皿１５の一側の灰皿２４は省略して、前面パネル３の左右幅の略全幅にメダル受け皿１５を設けてもよいし、左右方向の中間部の一部にメダル受け皿１５を設けてもよい。
【００４４】
メダル受け皿１５を照明する照明手段４５は、開口に透明板７０が装着された照明窓により構成しているが、透明板７０を省略して開口状に構成してもよい。その場合、照明手段４５の開口から物を挿入する等の不正行為を防止できるように、格子状、編み目状に構成するか、格子体、編み目体を装着することが望ましい。また照明手段４５には透明板７０に代えて集光レンズ７１又は拡散レンズを設けてもよい。光源４３は冷陰極管６３、発光素子７４以外のものを使用してもよい。
【００４５】
導光手段４４は導光板５８を備えたものであれば十分であり、傾斜面５７を粗面状に形成して、この傾斜面５７で光源４３からの光を装飾パネル２２側に乱反射するように構成するか、反射シート６０に光拡散性を有する乱反射型のものを使用すれば、導光板５８の前面の光拡散シート５９を省略することも可能である。
【００４６】
導光板５８は支持ケース６１内に収容してもよいし、上、左右の外周を保持枠で保持するようにしてもよい。また導光板５８を支持ケース６１内に収容する場合には、その裏面の傾斜面５７が支持ケース６１の背面部に当接するようにしてもよい。張り出し部３７の下側は後ろ下側に傾斜する下傾斜部４１でもよいし、略水平状でもよい。
【００４７】
装飾パネル２２の押えカバー４８を省略して、絵柄シート４９の裏側に、光拡散シート５９、導光板５８、反射シート６０をその順で順次配置してもよい。その場合、前面の保護カバー４７の裏面に絵柄シート４９、光拡散シート５９、導光板５８、反射シート６０を接触状に積層してもよい。反射シート６０は導光板５８に反射性塗料を塗工する等によって代替することも可能である。
【００４８】
更に保護カバー４７、絵柄シート４９、光拡散シート５９、導光板５８、反射シート６０を前後方向に結合して、装飾パネル２２側に導光板５８等を備えた装飾パネルユニットを構成し、この装飾パネルユニットを前面パネル３に設けられた凹入状、開口状等のユニット装着部に前側から着脱自在に装着してもよい。その場合、前面パネル３のユニット装着部の下側に光源４３を配置して、ユニット装着部に装飾パネルユニットを装着したときに、その導光板５８と光源４３とが上下に対応するように構成すればよい。
【００４９】
また実施例では、遊技媒体としてメダルを使用するスロットマシンに採用する場合を例示しているが、メダル以外の遊技媒体を使用するスロットマシンは勿論のこと、遊技球を使用するスロットマシン以外のパチンコ機等の弾球遊技機でも同様に実施可能であることはいうまでもない。
【符号の説明】
【００５０】
３  前面パネル
１５  メダル受け皿
２０  上操作パネル
２１  前操作パネル
２２  装飾部
４３  光源
４４  導光手段
４５  照明窓
５８  導光板
６６  反射板
６９  照明孔
【図１】
2010172374.tif 000003
【図２】
2010172374.tif 000004
【図３】
2010172374.tif 000005
【図４】
2010172374.tif 000006
【図５】
2010172374.tif 000007
【図６】
2010172374.tif 000008
【図７】
2010172374.tif 000009
【図８】
2010172374.tif 000010
【図９】
2010172374.tif 000011
【図１０】
2010172374.tif 000012
【図１１】
2010172374.tif 000013
【図１２】
2010172374.tif 000014